(57)【特許請求の範囲】
【請求項１】
対応プラグ（３）の金属のコンタクトピン（２）と電気的に接触接続させるための、互いに平行に配置された複数の金属のコンタクト（５）を備えた、電気的な差込みコネクタ（１）であって、
前記コンタクトピン（２）の差し込み方向を後方とし、その逆方向を前方としたとき、
前記コンタクト（５）のうちの少なくとも１つのコンタクト（５）の前方に、別個のコンタクト端子（１０）が配置されており、該コンタクト端子（１０）は、前記少なくとも１つのコンタクト（５）に導電接触しており且つコンタクトピン（２）の挿通用に形成されており、
前記コンタクト端子（１０）は、前記コンタクト（５）の前方に位置する前記差込みコネクタケーシング（４）の挿入開口（７）に差し込まれて、該挿入開口（７）内で係止されており、
前記コンタクト端子（１０）は、少なくとも１つの前方側の接触アーム（１０ａ）で以て、挿入開口（７）を有する前記差込みコネクタケーシング（４）のケーシング壁（６）の前方側に接触しており且つ少なくとも１つの係止アーム（１０ｂ）で以て、前記ケーシング壁（６）の後方側に接触しており且つ後方に向かって延在する少なくとも１つのコンタクトアーム（１０ｃ）で以て付属のコンタクト（５）に導電接触していることを特徴とする、電気的な差込みコネクタ。
【請求項２】
前記コンタクト端子（１０）は、差込みコネクタケーシング（４）内に係止されている、請求項１記載の電気的な差込みコネクタ。
【請求項３】
前記コンタクト端子（１０）は、差し込もうとするコンタクトピン（２）に対して互いに向かい合う少なくとも２つの接触アーム（１０ａ）及び／又は差し込もうとするコンタクトピン（２）に対して互いに向かい合う少なくとも２つの係止アーム（１０ｂ）及び／又は差し込もうとするコンタクトピン（２）に対して互いに向かい合う少なくとも２つのコンタクトアーム（１０ｃ）を有している、請求項１又は２記載の電気的な差込みコネクタ。
【請求項４】
対応プラグ（３）の金属のコンタクトピン（２）と電気的に接触接続させるための、互いに平行に配置された複数の金属のコンタクト（５）を有する電気的な差込みコネクタ（１）の挿入開口（７）に、コンタクトとしてクリップ止めされた金属のコンタクト端子（１０）であって、
前記コンタクトピン（２）の差し込み方向を後方とし、その逆方向を前方としたとき、
前方側に設けられて側方に張り出した少なくとも１つの接触アーム（１０ａ）と、
後方側に設けられて側方に張り出した少なくとも１つの係止アーム（１０ｂ）と、
後方に向かって延びる少なくとも１つのコンタクトアーム（１０ｃ）とを備えていることを特徴とする、コンタクト端子。
【請求項５】
前記コンタクト端子（１０）は、中間部分（１１）を有しており、該中間部分（１１）は、対応プラグ（３）のコンタクトピン（２）を差し込むための開口（１２）を形成している、請求項４記載のコンタクト端子。
【請求項６】
前記コンタクト端子（１０）は、１つの金属薄板部材から一体的に曲げられている、請求項４又は５記載のコンタクト端子。
【発明の詳細な説明】
【技術分野】
【０００１】
本発明は、請求項１の上位概念に記載の電気的な差込みコネクタから出発する。
【０００２】
電気的な差込みコネクタを介して、センサやアクチュエータの他に、制御装置も接触接続される。ほとんど全ての制御装置は、過電圧又は不都合な接触接続順序の影響を受けやすく、これにより内部の電子構成素子が損傷される恐れがある。この場合の対策を講じるために、いくつかの制御装置において延長されたアースピンが導入され、これにより、差込み過程中に早期に「アース」が得られるようになった。しかしながら、これらの公知の延長されたアースピンは、特に次の欠点を有している：即ち、
・延長されたアースピンの最初の接触接続が、あらゆる製作誤差を克服して確実に生じることはない。多くの場合、当該アースピンは機能するが、製作誤差に基づいて、必ずしも機能しないことがある。それというのも、当該アースピンの長さが最初の接触接続用に十分ではないからである。
・制御装置の「雄」プラグにおいて、製作誤差内でより高価に且つより困難に製造可能な、明らかにより長いピンが必要である。
・延長されたアースピンは、その位置を固定的に規定されている。異なる制御装置配線においては、延長されたアースピンを備えた新たなインターフェースが別の場所に必要とされ且つ規定されねばならない。
【０００３】
これに対して本発明の課題は、冒頭で述べた形式の電気的な差込みコネクタにおいて、対応プラグのコンタクトピンの先行接触接続用の別の構成を示すことにある。
【０００４】
発明の利点
この課題は本発明により、請求項１記載の特徴を備えた電気的な差込みコネクタ、即ち、対応プラグの金属のコンタクトピンと電気的に接触接続させるための、互いに平行に配置された複数の金属のコンタクトを備えた、電気的な差込みコネクタであって、
前記コンタクトのうちの少なくとも１つのコンタクトの手前に、別個のコンタクト端子が配置されており、該コンタクト端子は、前記少なくとも１つのコンタクトに導電接触しており且つコンタクトピンの挿通用に形成されていることを特徴とする、電気的な差込みコネクタにより解決される。
【０００５】
本発明では、電気的な差込みコネクタ内に、付加的な金属のコンタクト端子が先行コンタクトとして、電気的な差込みコネクタの本来のコンタクトの手前に配置されている。好ましくは、金属のコンタクト端子が電気的な差込みコネクタのコンタクトの手前に位置する、差込みコネクタケーシングの挿入開口に差し込まれて、該挿入開口内で係止されている。本発明の重要な利点は、電気的な差込みコネクタ（例えばワイヤハーネスコネクタ）に付加的に取り付けようとする、電気的な差込みコネクタ内の対応するコンタクトに電気的に接触接続する導電性のコンタクト端子によって、電気的な差込みコネクタの標準的なコンタクトと、対応プラグ（例えば制御装置プラグ）の標準的なピンとの確実な最初の先行接触接続若しくはアース接触接続が可能になる、という点である。
【０００６】
先行接触接続部の所望の位置及び数に関連して、１つ又は複数の付加的なコンタクト端子を、電気的な差込みコネクタの各所望のコンタクトの手前に配置することができるので、あらゆる形式の電気配線（ピン配列）が可能になる。更に、種々様々な構成に関して、常に同一の電気的な差込みコネクタと対応プラグとを使用することができる。手前側に配置されたコンタクト端子による、本発明に基づく先行接触接続は、延長されたアースピン無しで済み、差込みコネクタ及び対応プラグの配線態様には手をつけず、あらゆる製作誤差において保証されている。
【０００７】
本発明の別の利点及び有利な構成は、実施形態の説明、図面及び請求項に記載されている。
【図面の簡単な説明】
【０００８】
【図１】対応プラグが最初に接触接続する付加的なコンタクト端子を備えた、本発明による電気的な差込みコネクタの概略図である。
【図２ａ】図１に示した電気的な差込みコネクタの、付加的なコンタクト端子が設けられた挿入開口の領域を露出させて詳細に示した斜視図である。
【図２ｂ】図１に示した電気的な差込みコネクタの、付加的なコンタクト端子が設けられた挿入開口の領域を、図１のＩＩｂ−ＩＩｂに沿って断面して示した図である。
【図２ｃ】図１に示した電気的な差込みコネクタの、付加的なコンタクト端子が設けられた挿入開口の領域を、図１のＩＩｃ−ＩＩｃに沿って断面して示した図である。
【０００９】
実施形態の説明
以下に、本発明の実施形態を図面につき詳しく説明する。
【００１０】
図１に示した電気的な差込みコネクタ（例えばワイヤハーネスコネクタ）１は、一列に配置された複数のコンタクトピン２を備えたピン付き条片として形成されていてよい対応プラグ（例えば制御装置プラグ）３の、同一長さの平行な金属のコンタクトピン２を電気的に接触接続させるために使用される。
【００１１】
差込みコネクタ１は、その差込みコネクタケーシング４内に、対応プラグ３の各コンタクトピン２用に互いに平行に配置された複数の金属のコンタクト５（図２ｂ、図２ｃ）を有していて、これらのコンタクト５は、例えばソケットコンタクトとして形成されていてよい。差込みコネクタケーシング４のケーシング前壁６は、それぞれコンタクト５の手前に位置する、挿入漏斗の形状を有する複数の挿入開口７を有しており、これらの挿入開口７を介して対応プラグ３のコンタクトピン２を、コンタクト５と接触接続するまで差込みコネクタケーシング４に挿入することができる。
【００１２】
図示の実施形態では、複数のコンタクト５のうちの１つのコンタクト５の手前に別個の金属のコンタクト端子１０が配置されており、このコンタクト端子１０は、コンタクト５の手前に位置する挿入開口７ａに差し込まれて該挿入開口７ａ内に係止されているか、若しくはクリップ止めされている。クリップ止めされたコンタクト端子１０は、付属のコンタクト５に導電接触しており且つコンタクトピン２の挿通用に形成されている。
【００１３】
図２ａ〜図２ｃに示したように、コンタクト端子１０は四角形の中間部分１１を有しており、この中間部分１１は、横断面四角形のコンタクトピン２用に四角形の差込み開口１２を形成している。中間部分１１の手前側には、差込み開口１２に対してそれぞれ対を成すように互いに向かい合って外側に張り出している４つの接触アーム１０ａが続いており、中間区分１１の後ろ側には、差込み開口１２に対して互いに向かい合う、外向きに曲げられた２つの係止アーム１０ｂと、差込み開口１２に対して互いに向かい合う、後方に向かって延在する２つのコンタクトアーム１０ｃとが続いている。係止アーム１０ｂとコンタクトアーム１０ｃとは、それぞれ差込み開口１２の異なる側に設けられている。コンタクト端子１０は、内側に向かってばね弾性的に変位された係止アーム１０ｂと、コンタクトアーム１０ｃとで以て、先に係止位置まで挿入開口７ａ内に差し込まれるか、若しくはクリップ止めされ、前記係止位置においてケーシング前壁６の手前側には接触アーム１０ａが接触しており、後ろ側には係止アーム１０ｂが接触しており、コンタクトアーム１０ｃはコンタクト５の両側に導電接触している。コンタクト端子１０は、例えば１つの金属薄板部材から一体的に曲げられていてよい。
【００１４】
差込みコネクタ１と対応プラグ３とが互いに内外に差し込まれると、コンタクト端子１０を備えた挿入開口７ａに挿入される対応プラグ３のコンタクトピン２ａは、コンタクト端子１０を介して、挿入開口７にコンタクト端子が付設されていない他の全てのコンタクトピン２よりも先に、常に確実に付属のコンタクト５に接触接続する。つまりコンタクトピン２ａは、差込みコネクタ１内で、他のコンタクトピン２に先んじて接触接続する。
【００１５】
先行接触接続部の所望の位置及び数に関連して、１つ又は複数の付加的なコンタクト端子１０を、差込みコネクタ１の各コンタクト５の手前に配置することができるので、あらゆる形式の電気配線（ピン配列）が可能になる。つまり、種々様々な構成に、常に同一の差込みコネクタ１及び対応プラグ３を使用することができる。
【図１】
0005726326.tif 000002
【図２ａ】
0005726326.tif 000003
【図２ｂ】
0005726326.tif 000004
【図２ｃ】
0005726326.tif 000005